(57)【要約】【課題】係止フック本体を保護が図れる携帯型電子装置のスクリーンケースに適用可能な係止フック構造を提供すること。【解決手段】携帯型電子装置のスクリーンケースに適用可能であって、係止フック構造は少なくとも緩衝素材、係止フック本体及び押板を設け、緩衝素材はフロントカバー内側に取り付けて貫通孔の周縁に位置し、係止フック本体は第一プレートと第二プレートを具備し、第一プレートの側縁は伸ばしてフックを形成して貫通孔を貫通し、第二プレートを貫通孔周縁の緩衝素材に密着させ、押板は第二プレートに密着させて、係止フック本体はスクリーンケース内のフロントカバーに固定させる。【選択図】図４
2008065810.tif 000002
【特許請求の範囲】
【請求項１】
携帯型電子装置のスクリーンケースに適用される係止フック構造であって、
前記スクリーンケースはフロントカバー及びリアカバーで構成され、
前記フロントカバー内側に設置し、且つ貫通孔の周縁に位置する少なくとも一つの緩衝素材と、
第一プレートと第二プレートを具備し、前記第一プレートの側縁は伸ばしてフックを形成し、前記フックに相対する他の側縁は前記第二プレートに接続し、前記第一プレートは前記貫通孔を貫通して前記第二プレートを前記貫通孔周縁の前記緩衝素材に密着させる係止フック本体と、
前記第二プレートに密着して前記係止フック本体を前記スクリーンケース内の前記フロントカバーに固定する押板を少なくとも含むことを特徴とする係止フック構造。
【請求項２】
前記フロントカバーの前記貫通孔周縁が係止溝を形成する態様をさらに含み、前記緩衝素材が前記係止溝の底部に取り付けられることを特徴とする請求項１に記載する係止フック構造。
【請求項３】
前記緩衝素材は、前記スクリーンケースと前記携帯型電子装置の本体間のズレにより生じる剪断力を吸収するためのゴム、ポリウレタン、ポリ塩化ビニール、シリコンラバーを含むことを特徴とする請求項1に記載する係止フック構造。
【請求項４】
前記緩衝素材は一体成型で、二ブロック又は四ブロックから構成されることを含むことを特徴とする請求項1に記載する係止フック構造。
【請求項５】
前記一体成型の前記緩衝素材の切断面は略「ル」字形を呈することを特徴とする請求項４に記載する係止フック構造。
【請求項６】
係止フック本体の切断面が略「丁」字形を呈することを特徴とする請求項1に記載する係止フック構造。
【請求項７】
前記携帯型電子装置はノートパソコン或いは携帯情報端末を含むことを特徴とする請求項1に記載する係止フック構造。
【発明の詳細な説明】
【技術分野】
【０００１】
本発明は携帯型電子装置のスクリーンケースに適用する係止フック構造に関し、特に瞬間的に発生する剪断力を緩衝素材によって吸収して係止フック本体を保護する係止フック構造に関する。
【背景技術】
【０００２】
科学技術が日増しに発展し、製造工程技術が向上するのに伴い、殆どどの製品も機能、品質の良さが求められると同時に、移動や携帯に便利なように出来る限りダウンサイズ(小型化)が求められる。
特にノートパソコンにおいては、各メーカーが大多数のユーザのニーズに応じるために、様々な方法でダウンサイジングを図っている。
ノートパソコンを小型化する方法の大部分は、多大な人力とコストを投入して機能を変更せずに如何にしてノートパソコン内部の電子部品をダウンサイズ化するかについて研究するかといった方法が採られており、ノートパソコンの小型化に成功を収めるか、或いはその目的が達せられたとしても、これに要した時間、人力及びコストは何れも相当に高いものとなる。
【０００３】
図１は従来技術のノートパソコンの立体概略図である。
図は現在の大部分のノートパソコン１であり、スクリーンケース１１とホストケース１３を枢接して構成されている。
スクリーンケース１１はフロントカバー１１１と、リアカバー１１３とを有し、フロントカバー１１１とリアカバー１１３は液晶スクリーン１１５をカバーしている。
スクリーンケース１１のホストケース１３の枢支箇所から離れた側縁部には二つの係止装置２が設けられるとともに、ホストケース１３にも二つの係止装置２，２と対応する箇所にそれぞれ係止溝１３１，１３１が凹設されている。
そして、スクリーンケース１１がホストケース１３に対応して蓋を閉じる際には、二つの係止装置２がこれらに対応する係止溝１３１と合って互いに係止することでノートパソコン１を閉じた状態にする。
図１に示したノートパソコン１は二つの係止装置２，２と二つの対応する係止溝１３１，１３１とを設けた場合であるが、その他の方式としては、ノートパソコンの前縁の中央箇所に一つの係止装置２を設け、ホストケース１３にこれと対応する一つの係止溝１３１を設けて互いに係止させる場合もある。
【０００４】
図２は従来の係止装置の立体分解概略図であり、図３は従来の係止装置の断面概略図を示す。
これらの図において、二つの係止装置２はそれぞれ係止フック体２１、タッチ部材２３及びスプリング２５を具備している。
係止フック体２１は略長方形の形を呈しており、その中心部位には長方形溝２１１を穿設している。
係止フック体２１の両側には位置決めバー２１３をそれぞれ突出している。
スプリング２５は位置決めバー２１３にはスプリング２５が嵌め込まれる。
係止フック体２１の一部には係止フック２１５を一体に形成する。
係止フック２１５はそれに対応するフロントカバー１１１の係止溝１１２に係止可能である。
タッチ部材２３は係止面２３１と係止面２３１に相対するタッチパネル２３３とを具備する。
係止面２３１には互いに対称をなす四つのほぞ２３４が設けられている。
四つのほぞ２３４の突出方向はすべて外側に向いている。
タッチパネル２３３はユーザーが直接タッチする部位である。
【０００５】
この他に、スクリーンケース１１のフロントカバー１１１は二つの係止装置２の係止フック２１５に対応する箇所にそれぞれ貫通孔１１２が設けられている。
貫通孔１１２は係止フック２１５の貫通用の孔で、係止フック２１５を貫通孔１１２内にスライドさせることができる。
スクリーンケース１１のリアカバー１１３の二つの係止装置２に対応する箇所にも適切な設計をして、リアカバー１１３の各位置決めバー２１３に対応する箇所に限定ブロック１１４が設けられている。
限定ブロック１１４には貫通孔１１６が穿設されている。
位置決めバー２１３が貫通孔１１６に挿通される。
リアカバー１１３が係止フック体２１に対応する長方形溝２１１の箇所に長方形スライド溝１１８が穿設されている。
長方形スライド溝１１８の長さは長方形溝２１１の長さより長い。
【０００６】
一組の係止装置２だけについて言えば、従来の例は組立時にまずスプリング２５を係止フック体２１の両側の位置決めバー２１３に嵌め込み、二本の位置決めバー２１３をそれぞれ対応する限定ブロック１１４の貫通孔１１６内に挿通する。
係止フック体２１の長方形溝２１１は長方形スライド溝１１８にきっちり合せて、タッチ部材２３をそのタッチパネル２３３上の４個のほぞ２３４で長方形スライド溝１１８を通して長方形溝２１１に係止させる。
これにより、係止フック体２１を位置決めする。
タッチ部材２３に制御されて位置決めバー２１３のシャフトが往復移動した後、フロントカバー１１１をリアカバー１１３に対応させて互いに蓋を合わせて、係止フック体２１の係止フック２１５をフロントカバー１１１の貫通孔１１２より突き出させる。
これにより長方形スライド溝１１８の幅は二つのほぞ２３４が通る分だけ必要となる。
ノートパソコン１の蓋を開けて使用する際には、ユーザーがタッチパネル２３３に触れてスプリング２５を圧縮する方向に移動すると、係止フック体２１の係止フック２１５とホストケース１３の係止溝１３１が互いに緩んで抜け、スクリーンケース１１をホストケースに相対して軸回転させて蓋を開けることになる。
ユーザーがノートパソコン１の蓋をする場合には、直接スクリーンケース１１を軸回転させてホストケース１３に向けて蓋をすると共に、各係止フック２１５及びそれに対応する係止溝１３１のスライドを利用して係止フックを容易に係止溝１３１内に係止させることができる。
【０００７】
然しながら、上記した従来の係止装置２にあっては、構成部品点数が非常に多いため、各部品を製造するうえで多額の製造コストをかけて生産しているだけでなく、構成部品点数が多いと組み立てに要する時間も必然的に多くかかるといった問題がある。
このほかには、ノートパソコン１のサイズ面でますます小さく薄くするニーズがあるため、ホストケース１３、若しくはスクリーンケース１１に拘らずその内部スペースもこれに伴って縮小している。
このユーザのニーズに応えるため、スクリーンケース１１の内部スペースを小さくすると、フロント、リアカバー１１１、１１３も同様に薄型サイズに製造しなければならないので、リアカバー１１３の側面の縁に幅が二つのほぞ２３４が通るのに十分なだけの十分な寸法を確保できないため、長方形スライド溝１１８を設けることがより一層困難となるといった問題がある。
【０００８】
さらに、ノートパソコンの蓋をする際に、外力を加えたときの衝撃が剪断力として急激に作用するため、係止フックが破損し易いといった問題がある。
本発明は上記した各問題点を解消するため長年に亘り研究を重ねるとともに幾多の実験を重ねた結果完成したものである。
【発明の開示】
【発明が解決しようとする課題】
【０００９】
本発明の目的は携帯型電子装置のスクリーンケースに適用可能な係止フック構造を提供することを目的とし、特に瞬間的に発生する剪断力を緩衝素材によって吸収して係止フック本体を保護し得る係止フック構造を提供することにある。
【課題を解決するための手段】
【００１０】
上記の目的を達成するため、本発明による係止フック構造は、ノートパソコン或いは携帯情報端末のような携帯型電子装置のスクリーンケースに適用し、当該スクリーンケースはフロントカバー及びリアカバーで構成され、係止フック構造には少なくとも一つの緩衝素材、係止フック本体及び押板を具備し、緩衝素材は前記フロントカバー内側に設置して貫通孔の周縁に位置し、係止フック本体は第一プレートと第二プレートを設け、第一プレートの側縁は伸ばしてフックを形成して貫通孔を貫通し、第二プレートを貫通孔周縁の緩衝素材に密着させ、押板は第二プレートに密着させて係止フック本体をスクリーンケース内のフロントカバーに固定する。
【００１１】
上記の内容を受けて、本発明による係止フック構造は係止フック構造の設計を効率的に簡素化すると共に、ゴム、ポリウレタン、ポリ塩化ビニール、シリコンラバーのような緩衝素材によって、スクリーンケースと携帯型電子装置の本体間のズレにより生じる剪断力を吸収して、係止フック本体が断裂しないように保護するが、そのうち、緩衝素材は一体成型で、二ブロック又は四ブロックから構成されることを含む。
【発明を実施するための最良の形態】
【００１２】
以下、図面を参照しながら本発明に関する技術的特徴及び効果について詳細に説明する。
【実施例】
【００１３】
本発明の最適な実施例の説明に際し、同一の部品については同一の符号を付してその説明を援用する。
【００１４】
図４は本発明の緩衝素材を一体成型した係止フック構造を含む立体分解概略図である。
係止フック構造４は携帯型電子装置のスクリーンケースに適用される。
スクリーンケースはフロントカバー３１及びリアカバー（図示せず）で構成される。
係止フック構造４は少なくとも一体成型となったような緩衝素材４１、係止フック本体４２、押板４３及び複数の固定部材４４を含む。
緩衝素材４１は第一貫通孔４１１を有してフロントカバー３１の係止溝３２の中に取付けられる。
係止溝３２の底部には第二貫通孔３２１を有する。
第二貫通孔３２１の面積は第一貫通孔４１１に等しいか、若しくは第一貫通孔４１１と緩衝素材４１の間である。
係止フック本体４２は第一プレート４２１と第二プレート４２２を具備する。
第一プレート４２１の側縁は伸ばしてフック４２３を形成する。
フック４２３に相対する他の側縁は第二プレート４２２に接続し、第一プレート４２１と第二プレート４２２を垂直にする。
第一プレート４２１は第一貫通孔４１１と第二貫通孔３２１を貫通する。
第二プレート４２２は緩衝素材４１に密着させる。
押板４３は係止溝３２の面積より大きく、二つのホール４３１を設ける。
押板４３は第二プレート４２２に密着させる。
複数の固定部材４４はホール４３１を貫通して押板４３をフロントカバー３１に螺設する。
【００１５】
上記した緩衝素材は、前記スクリーンケースと前記携帯型電子装置の本体間のズレにより生じる剪断力を吸収するためのもので、好ましくはゴム、ポリウレタン、ポリ塩化ビニール、シリコンラバーを含む。
緩衝素材は係止フック本体を保護して断裂しないようにし、且つ緩衝素材は一体成型で、二ブロック又は四ブロックから構成される。
一体成型の緩衝素材４１の断面形状は略「ル」字形(又はハ字形又はＬ字形)を呈する。
第一貫通孔４１１は「ル」字形の頂端に位置する。
また、係止フック本体の断面形状は略「丁」字形を呈する。
係止フック本体の第一プレートの長さは第二プレートの長さより短くなる。
固定部材は好ましくはボルトを含む。
本発明で適用する携帯型電子装置は好ましくはノートパソコン或いは携帯情報端末を含む。
また、本発明の係止フック構造の少なくとも一つの緩衝素材の設置態様はフロントカバーの内側に設け、且つ貫通孔の周縁に位置し、第一プレートは貫通孔を突き抜けて、第二プレートは貫通孔周縁の緩衝素材に密着させ、押板は前述の固定部材方式で第二プレートに密着する他に、係合できる押板でフロントカバーに係合させ、若しくはその他の押板をフロントカバーに固定させる任意の態様がある。
【００１６】
図５は本発明の図４の係止フック構造の断面概略図である。
図中で、係止フック構造４の緩衝素材４１は第一貫通孔４１１を有すると共に、フロントカバー３１の係止溝３２の中に取り付ける。
係止溝３２の底部には第二貫通孔３２１を有する。
係止フック本体４２は第一プレート４２１と第二プレート４２２を具備する。
第一プレート４２１の側縁は伸ばしてフック４２３を形成し、フック４２３に相対する他の側縁は第二プレート４２２に接続し、第一プレート４２１と第二プレート４２２を垂直にする。
第一プレート４２１は第一貫通孔４１１と第二貫通孔３２１を突き抜けて、第二プレート４２２は緩衝素材４１に密着させる。
押板４３は二個のホール４３１を有すると共に第二プレート４２２に密着させる。
複数の固定部材４４はホール４３１を突き抜けて押板４３をフロントカバー３１に螺設する。
【００１７】
以上の記載は本発明の最適な実施例の説明に過ぎず、これを以って本発明の範囲を限定するものではない。従って本発明の趣旨及び範疇を逸脱しないで行った等価補正若しくは変更は何れも添付した特許請求の範囲に含まれるものとする。
【図面の簡単な説明】
【００１８】
【図１】従来技術のノートパソコンの立体概略図である。
【図２】従来技術の係止装置の立体分解概略図である。
【図３】従来技術の係止装置の断面概略図である。
【図４】本発明の緩衝素材を一体成型した係止フック構造を含む立体分解概略図である。
【図５】本発明の図４の係止構造の断面概略図である。
【符号の説明】
【００１９】
１        ノートパソコン
１１      スクリーンケース
１１１    フロントカバー
１１２    貫通孔
１１３    リアカバー
１１４    限定ブロック
１１５    液晶スクリーン
１１６    貫通孔
１１８    長方形スライド溝
１３      ホストケース
１３１    係止溝
２        係止装置
２１      係止フック体
２１１    長方形溝
２１３    位置決めバー
２１５    係止フック
２３      タッチ部材
２３１    係止面
２３３    タッチパネル    
２３４    ほぞ  
２５      スプリング
３１      フロントカバー
３２      係止溝
３２１    第二貫通孔
４        係止フック構造
４１      緩衝素材
４１１    第一貫通孔
４２      係止フック本体
４２１    第一プレート
４２２    第二プレート
４２３    フック
４３      押板
４３１    ホール
４４      固定部材
【図１】
2008065810.tif 000003
【図２】
2008065810.tif 000004
【図３】
2008065810.tif 000005
【図４】
2008065810.tif 000006
【図５】
2008065810.tif 000007